(57)【要約】      （修正有）【課題】熱交換器アルミフィンを洗浄する新規な手段を提供する。【解決手段】エアコンの熱交換器アルミフィン１を、先にシーズヒータ２２，２３等を搭載した熱源器２１で放射加熱することにより固着した油汚れを緩ませ、続いて薬液入り温水を高圧ポンプを介して噴射する手段でアルミフィンの隙間に固着した油汚れを洗浄する。また該洗浄装置にサーモスタットを備えることにより、熱原器の過剰加熱によるアルミニュームが変形あるいは溶解する危険を防止、作業者のやけどの危険防止への配慮を行う。【選択図】図３
2010054182.tif 000002
【特許請求の範囲】
【請求項１】
熱交換器アルミフィンのフィンの隙間に固着した油汚れを先にシーズヒータ等の熱源器で放射加熱、続いて高圧ポンプを介して該熱交換器アルミフィンに温水を噴射して洗浄作業を行うことを特徴とする熱交換器アルミフィンの洗浄装置及び洗浄方法。
【請求項２】
熱交換器アルミフィンのフィンの隙間を利用した保持具でサーモスタット及び該熱源器を熱交換器アルミフィンに密着して保持する機構を備えたことを特徴とする請求項１に記載の洗浄装置及び洗浄方法
【発明の詳細な説明】
【技術分野】
【０００１】  本発明は、エアコンの熱交換器アルミフィン（以下、アルミフィンと略す）に固着した油汚れを先にシーズヒータ等の熱源器を利用した加熱装置で放射加熱後、続いて高圧ポンプを介して温水を該アルミフィンに噴射する洗浄装置及び洗浄方法に関する。
【背景技術】
【０００２】  発明者等は、壁掛け形エアコンに関して、そのアルミフィンや送風ファンを洗浄する方法において、前面パネルを取り外し専用の洗浄カバーで密封して洗浄する装置の特許を登録（特許文献１）している。
【特許文献１】  特許第３４０６０３８号公報
【０００３】  上記特許以外のエアコンの洗浄方法に関するものは、次の特許が出願されている。
【特許文献２】  特開平０９−１１９７９７号公報
【特許文献３】  特許第２６７３６８１号公報
【特許文献４】  特許第３１７６８９６号公報
【特許文献５】  特開２００７−３０３８００号公報
【０００４】  特許文献２では、壁掛け形エアコンに対して漏斗状の捕捉部をエアコンの下部に取り付けて、洗浄排液を該捕捉部で受け止め排水ホースを介して排水収納容器に回収していることを特徴にしている。【０００５】  特許文献３では、天埋め形エアコンに対して、回転させながら上下動作をする洗浄ノズルを熱交換機内に設置、漏斗状のホッパーでハウジング全体を養生して、人間に代わって機械が自動的に熱交換器アルミフィンを洗浄することを特徴とする洗浄方法である。【０００６】  特許文献４では、天井埋め込み形室内機前面パネルを外すのみで養生をせず、ファイバースコープで汚れを観察しながら、特殊なノズルで天埋め込み形エアコンの熱交換器アルミフィンを洗浄することを特徴にしている。【０００７】  特許文献５では、発明者らが考案したものでエアハンドリングユニットを対象にブラシ付ノズルをアルミフィンの隙間に密着挿入、該ノズルをアルミフィンの隙間に沿って移動、洗浄することを特徴にしている。
【発明の開示】
【発明が解決しようとする課題】
【０００８】  従来の洗浄方法（特許文献１、２，３，４、５）は、壁掛け形エアコン、天埋め形エアコン、天吊り形エアコンの室内機及びエアハンドリングユニットのアルミフィンを対象に、アルカリ性の薬液を高圧ポンプと特殊な洗浄ノズル等でアルミフィンを洗浄することを特徴にしている。【０００９】  発明者らの経験では、アルミフィンの吸込み側の面に付着した汚れは薬液と高圧ポンプの水圧による従来の方法できれいになるが、アルミフィン間の隙間に固着した油よごれ、それも付着してから２〜３年以上の経過した油汚れは経時変化による固着力（固まってアルミフィンに付着する力）が強く洗浄できない課題があった。油汚れは経時変化に伴い硬化して固着力が増す特性がある。エアコンの設置環境、稼動状況によるが、２〜３年以上経過したアルミフィンの隙間に固着した油汚れは、従来の手段では除去することは困難であった。
【課題を解決するための手段】
【００１０】  本発明は、上記課題に鑑みなされたものであり、課題を解決するため以下を提供する。
１）本発明では、先にシーズヒータ等の熱源器でアルミフィンを放射加熱して、その後温水を高圧ポンプで噴射することによりアルミフィンに固着した油汚れを能率よく洗浄する洗浄装置及び洗浄方法を提供するにある。【００１１】２）アルミフィン間の隙間を利用して、前記の洗浄装置及びサーモスタットをアルミフィンに密着して取り付け、該洗浄装置にサーモスタットを備えたことを特徴とする請求項１に記載の洗浄装置及び洗浄方法を提供するにある。
【発明の効果】
【００１２】  上記したように本発明では、アルミフィン間の隙間に固着した油汚れを先にシーズヒータ等の熱源器で放射加熱することにより固着した油汚れを緩ませ、その後高圧ポンプの水圧と温水で除去することができるので、従来技術では除去できなかったアルミフィンの隙間に付着した油よごれを能率的に洗浄する効果がある。【００１３】  また、該洗浄装置にサーモスタットを備えることにより、熱源器の過剰加熱によりアルミニュームが変形あるいは溶解する危険を防止、作業者の焼けどの危険防止等への配慮により安全に作業できる効果がある。
【発明を実施するための最良の形態】
【実施例１】
【００１４】  以下、本発明の実施の形態を図１〜図６で説明する。【００１５】  図１は、アルミフィンに付着した油よごれが経時変化と共に硬化して固着力を増してゆく状況を説明する図である。横軸に経時（年）、縦軸に油よごれの固着力（ＭＰａ）で示す。油脂等の油よごれの種類、エアコンの設置環境等の要因で異なるが、アルミフィンに付着した油よごれの固着力は経時変化して強くなる。アルミフィンの隙間に付着した油よごれは、１〜２年経過すると固着力は２．５ＭＰａ以上となり、従来のアルミフィンを破損しない水圧設定２．５ＭＰａ程度では除去できない固着力を持つことになる。なお、水圧を強くするとアルミフィンは０．２ｍｍ程度の厚さのため、水圧で潰れてしまうことを度々経験している。【００１６】  図２は１０年近く経過したアルミフィンの隙間に付着した油汚れの固着力の温度特性を調べたものである。横軸に温度（℃）、縦軸に固着力（ＭＰａ）で示す。シーズヒータでアルミフィンを放射加熱したときのアルミフィンの表面温度と固着力の劣化の様子を示したものである。図２からアルミフィンを破損しない水圧２．５ＭＰａ以下で、洗浄できるレベルの固着力までに油汚れの固着力が緩む温度は約６０℃以上であることが分かる。【００１７】  図１、図２の特性から判断して、アルミフィンに固着した油汚れを除去するためには、洗浄対象のアルミフィンを６０℃以上に暖めることができる熱源器を設計、製作すれば良いことが分かる。まず先に該洗浄装置で油汚れを加熱して、油汚れの固着力を緩めて、その後高圧ポンプを介して温水をアルミフィンに噴射すれば、油汚れを除去できるようになる。【００１８】  図３に本発明の実施例による洗浄方法を示す。図３において、１は熱交換器アルミフィン全体、２，３・・は個々のアルミフィンを示す。アルミフィンは銅管１１に短冊状に並んで取り付いている。アルミフィンの間隔は一般に家庭用壁掛け形で１．２〜２．０ｍｍ、業務用で２〜４ｍｍ位、フィンの厚さ０．２〜０．３ｍｍ、枚数２００〜５００枚程度並んでいる。銅管には冷媒が流れ、フィンの隙間を空気が流れることにより熱交換する。油汚れを含んだ空気、たとえば、揚げ物食品加工工場の生産ラインに設置等のエアコンのアルミフィンはこのような空気で汚染、油が付着、長年放置されて油汚れは図１に示した経時変化をして固着、従来の洗浄方法では除去できないようになる。なお、図３において、アルミフィン上の多くの丸い粒印は、油汚れの粒を表している。２１は、シーズヒータ２２、２３を搭載した熱源器である。熱源器２１を熱交換器アルミフィン１に近づけ、シーズヒータ２２，２３の放射熱でアルミフィンを加熱、６０℃以上にした後に図４に示す装置のお湯洗浄装置（特許文献  特開２００６−００３０６０号）で洗浄する。
【特許文献６】  特開２００６−００３０６０号公報
【００１９】  図４は、図３に示した熱源器でアルミフィンを加熱後、お湯洗浄システムで洗浄する構成図である。図４において、３１は高圧ポンプ、３２はそのノズル、３３は瞬間湯沸かし器、３４は３３に燃料を供給するガスボンベ、３５は薬液を入れるバケツである。このような構成で、瞬間湯沸かし器３３でお湯を沸かしながら、高圧ポンプ３１を介してノズル３２で薬液を噴射してアルミフィンを洗浄する。【００２０】  図５は、本発明の洗浄装置による洗浄作業工程を示したもので、工程▲３▼を従来の工程に追加した洗浄方法となっている。すなわち、高圧ポンプによる従来の洗浄方法に加えて、シーズシータ等搭載の熱源器２１で油汚れの固着力を高圧ポンプの水圧で除去できる程度に緩めてから、高圧ポンプを使用する。その際、常温の水道水を使うと、アルミフィンが急速に冷え、油汚れの固着力は増すので、温水を使用することが重要である。
【実施例２】
【００２１】  図６は、請求項２を説明する第２の実施例である。図６において、熱源器２１とサーモスタット４１は、熱交換器アルミフィン１に密着して設置してある。熱源器２１は保持金具２４、２５を介して熱交換器アルミフィン１に設置、保持金具２４，２５は、熱源器２１に開けてある孔２６，２７を貫通、アルミフィンの隙間に差し込むことで熱源器２１を保持する。サーモスタット４１は保持金具４２，４３を介して、アルミフィンの隙間に挿入、保持される。サーモスタット４１は熱源器２１の電源回路に接続、規定の温度以上に加熱されると、電源回路を遮断する機能である。過剰加熱によるアルミフィンの変形等の危険を防止している。【００２２】なお、熱源器として、フィルムヒータ、平板ヒータ等を利用すると熱効率がよいので、設置してあるエアコン熱交換アルミフィンの形状に合わせて、これらの熱交換器アルミフィンへの取り付け方法を現場で工夫する必要がある。
【産業上の利用可能性】
【００２３】  本発明の利用分野は、全機種のエアコンのアルミフィン及びアルミフィンを利用している各種の機器、冷凍庫、冷蔵庫、冷凍商品ケース、恒温恒湿室等である。
【図面の簡単な説明】
【００２４】
【図１】本発明の実施形態を説明するための油よごれのアルミフィンへの固着力の経時変化の図
【図２】本発明の実施形態を説明するための油よごれの固着力の温度変化の図
【図３】本発明第１の実施形態を説明する概念図
【図４】本発明第１の実施形態を説明する構成図
【図５】本発明第１の実施形態を説明する洗浄作業工程図
【図６】本発明第２の実施形態を説明する概念図
【符号の説明】
【００２５】  １  熱交換器アルミフィン
２，３，４・・  アルミフィン
１１  銅管
２１  熱源器
２２，２３  シーズヒータ
２４，２５  保持金具
３１  高圧ポンプ
３２  ノズル
３３  瞬間湯沸かし器
３４  ガスボンベ
３５  薬液のバケツ
４１  サーモスタット
４２，４３  保持金具
【図１】
2010054182.tif 000003
【図２】
2010054182.tif 000004
【図３】
2010054182.tif 000005
【図４】
2010054182.tif 000006
【図５】
2010054182.tif 000007
【図６】
2010054182.tif 000008